(57)【特許請求の範囲】
【請求項１】
化学式Ｉ
【化１】
0003657627.tif 000088
( 上式中、
D は(d5)、
【化２】
0003657627.tif 000089
の基であり、
K は(k2)、
【化３】
0003657627.tif 000090
の基であり、
ただし、
(i)   化学式I の化合物は、少なくとも一つのスルホン酸基を含み、
(ii)  化学式I の化合物は、一つまたは二つのY 基を含み、
(iii) 少なくとも一つのY 基は
【化４】
0003657627.tif 000091
を含み、
ここで、各々のY は独立に
【化５】
0003657627.tif 000092
であり、
各々のZa は独立に、
【化６】
0003657627.tif 000093
であり、
上式中、T1は水素、シアノまたはクロロであり、二つのT2は同一であり、
各々のT2はフルオロまたはクロロであり、
各々のR1は独立に水素、C1-4アルキルまたは置換C1-4アルキルであり、
Hal はフルオロまたはクロロであり、
W1は
【化７】
0003657627.tif 000094
〔＊付き窒素原子はトリアジン環の炭素原子に結合しており、
B1はC2-6アルキレン、-C2-3 アルキレン-Q-C2-3 アルキレン- （Q は-O- または-NR1- である）、ヒドロキシにより一置換されたC3-4アルキレン、
【化８】
0003657627.tif 000095
（上式中、＊付き炭素原子はトリアジン環の炭素原子に結合しているNR1-基
に結合している) である〕であり、
各々のR4は独立に水素またはスルホであり、
R10はC1-4アルキルまたは-CH2SO3Hであり、
R11は水素；-CONH2；スルホ；ヒドロキシ、ハロゲン、シアノ、C1-4アルコキシ、スルホ、-OSO3Hまたは-NH2により一置換されたC1-4アルキル；または-CH2-Yであり、
R12 は水素; C1-6アルキル; 置換C1-6アルキル; シクロヘキシル; フェニルまたはハロゲン、C1-4アルキル、C1-4アルコキシ、スルホ、もしくはカルボキシから選ばれる1 〜3 つの置換基により置換されたフェニル; フェニル(C1-4 アルキル) ; またはハロゲン、C1-4アルキル、C1-4アルコキシ、スルホもしくはカルボキシから選ばれる1 〜3 つの置換基によりフェニル環が置換されたフェニル(C1-4 アルキル) であり、
R17 は水素、C1-4アルキル、C1-4アルコキシ、カルボキシ、またはスルホであり、
m は0 または1 であり、
n は0 または1 〜4 の整数であり、
各々のp は独立に0 、1 または2 である）
で表される化合物およびその塩またはこのような化合物もしくは塩の混合物。
【請求項２】
化学式Ｉa
【化９】
0003657627.tif 000096
｛上式中、
Da は下記 (d5') の基であり、
【化１０】
0003657627.tif 000097
（上式中、 Ya は
【化１１】
0003657627.tif 000098
であり、ここで、
各々のR1b は独立に水素またはメチルであり、
Hal はフルオロまたはクロロであり、
W1b は
【化１２】
0003657627.tif 000099
であり、ここでB1b は直鎖のまたは分枝鎖のC2-3アルキレン、
【化１３】
0003657627.tif 000100
であり、
R17bは水素またはスルホであり、
Za ' は
【化１４】
0003657627.tif 000101
であり、ここでT1' は水素またはクロロであり、R4は水素またはスルホである）であり、
Kaは(k2') 、
【化１５】
0003657627.tif 000102
の基であり、
R10a はメチルまたは-CH2SO3Hであり、
R11aは水素、-CONH2、スルホ、-CH2SO3Hまたは-CH2-Yaであり、ここでYa
は上記で定義した通りであり、
R12bは水素、メチル、エチル、シクロヘキシルまたは-C1-4アルキレン-Ea
であり、ここでEaはカルボキシ、スルホ、-OSO3H、ヒドロキシまたは
-NR19aR20aであり、各々のR19aおよびR20aは独立に水素、メチル、エチル、2-ヒドロキシエチルもしくはフェニル（C1-2アルキル）であるか、または、
-NR19aR20aはピペリジノ、モルホリノまたはピペラジノであり、
ここで、請求項１記載の化学式Ｉの化合物に与える条件(i) 〜(iii)と同じ条件を化学式Iaの化合物にも適用する｝
に対応する請求項１記載の化合物およびその塩。
【請求項３】
請求項１記載の化学式Ｉの化合物またはその混合物の製造方法であって、化学式II
【化１６】
0003657627.tif 000103
( 上式中、D は請求項１に定義したとおりである）のアミンのジアゾニウム塩と化学式III
【化１７】
0003657627.tif 000104
（上式中、K は請求項１に定義したとおりである）の化合物とを反応させることを含む方法。
【請求項４】
請求項１または２記載の化合物またはその混合物を、ヒドロキシ基または窒素含有有機基材に適用することを含む前記基材を染色または捺染する方法。
【請求項５】
基材が天然または再生セルロースを含む繊維材料である請求項４記載の方法。
【発明の詳細な説明】
【０００１】
本発明は繊維反応性モノアゾおよびジアゾ化合物およびその製造方法に関する。これらの化合物は従来のあらゆる染色または捺染方法において繊維反応性染料としての使用に適している。
【０００２】
より詳細には、本発明は化学式Ｉ
【０００３】
【化４６】
0003657627.tif 000002
の化合物およびその塩またはこのような化合物もしくは塩の混合物を与える。
上式中、
D は(d1)〜(d5)、
【０００４】
【化４７】
0003657627.tif 000003
のうちの一つの基であり、
K は(k1)〜(k4)、
【０００５】
【化４８】
0003657627.tif 000004
のうちの一つの基であり、
ただし、
(i)   化学式Ｉの化合物は、少なくとも一つのスルホン酸基を含み、
(ii)  化学式Ｉの化合物は、一つまたは二つのY 基を含み、
(iii) 少なくとも一つのY 基は
【０００６】
【化４９】
0003657627.tif 000005
を含み、
(iV)  D が(d3)であり、K が(k4)である場合、(k4)中のY は、
【０００７】
【化５０】
0003657627.tif 000006
以外であり、
あるいは、D は上記(d1)〜(d4)のうちの一つの基であるか、または下式
【０００８】
【化５１】
0003657627.tif 000007
の(d6)もしくは(d7)であり、
Kは(k5)の基、
【０００９】
【化５２】
0003657627.tif 000008
であり、
ただし、D が(d1)〜(d4)である場合、上記に与える同じ条件(i) 〜(iv)を適用し、ここで、各々のY は独立に
【００１０】
【化５３】
0003657627.tif 000009
であり、
各々の Za は独立に、
【００１１】
【化５４】
0003657627.tif 000010
であり、
上式中、T1は水素、シアノまたはクロロであり、二つのT2は同一であり、
各々のT2はフルオロまたはクロロであり、
各々のa およびb は独立に0 または1 であり、
各々のR1は独立に水素、C1-4アルキルまたは置換C1-4アルキルであり、
Hal はフルオロまたはクロロであり、
W1は
【００１２】
【化５５】
0003657627.tif 000011
〔＊付き窒素原子はトリアジン環の炭素原子に結合しており、
B1はC2-6アルキレン、-C2-3 アルキレン-Q-C2-3 アルキレン- （Q は-O- または-NR1- である）、ヒドロキシにより一置換されたC3-4アルキレン、
【００１３】
【化５６】
0003657627.tif 000012
（上式中、＊付き炭素原子はトリアジン環の炭素原子に結合しているNR1-基に結合している) である〕であり、
R2は水素、C1-4アルキル、C1-4アルコキシまたはスルホであり、
R3は水素、C1-4アルキル、C1-4アルコキシ、ハロゲンまたはカルボキシであり、
各々のR4は独立に水素またはスルホであり、
R5は水素、C1-4アルキルまたはC1-4アルコキシであり、
R6は水素、C1-4アルキル、C1-4アルコキシ、アセトアミドまたは-NHCONH2であり、
R7は、
【００１４】
【化５７】
0003657627.tif 000013
であり、
【００１５】
各々のR8は独立に水素、C1-4アルキル、C1-4アルコキシ、ハロゲンまたはスルホであり、
各々のR9は独立に水素、C1-4アルキル、C1-4アルコキシ、ハロゲンまたはカルボキシであり、
R10 はC1-4アルキルまたは-CH2SO3Hであり、
R11 は水素; -CONH2; スルホ; ヒドロキシ、ハロゲン、シアノ、C1-4アルコキシ、スルホ、-OSO3Hもしくは-NH2により一置換されたC1-4アルキル; または-CH2-Yであり、
R12 は水素; C1-6アルキル; 置換C1-6アルキル; シクロヘキシル; フェニルまたは、ハロゲン、C1-4アルキル、C1-4アルコキシ、スルホもしくはカルボキシから選ばれる1 〜3 つの置換基により置換されたフェニル; フェニル    (C1-4 アルキル) ; またはハロゲン、C1-4アルキル、C1-4アルコキシ、スルホもしくはカルボキシから選ばれる1 〜3 つの置換基によりフェニル環が置換されたフェニル(C1-4 アルキル) であり、
各々のR13 はヒドロキシまたは-NH2であり、
各々のR14 はC1-4アルキル、カルボキシまたは-CONH2であり、
R15 は水素、C1-4アルキル、C1-4アルコキシであり、
R16 は水素、C1-4アルキル、C1-4アルコキシ、アセトアミドまたは-NHCONH2であり、
R17 は水素、C1-4アルキル、C1-4アルコキシ、カルボキシ、またはスルホであり、
各々のR18 は独立に水素、ハロゲン、C1-4アルキルまたはC1-4アルコキシであり、
X1は
【００１６】
【化５８】
0003657627.tif 000014
であり、上式中、＊付き炭素原子はアゾ基に結合しており、
X2は
【００１７】
【化５９】
0003657627.tif 000015
であり、上式中、＊付き炭素原子は Za -NR1- 基に結合しており、
m は0 または１であり、
n は0 または1 〜4 の整数であり、
各々のp は独立に0 、1 または2 であり、
各々のq は独立に1 または2 であり、
各々のr は2 または3 であり、
t は1 、2 または3 である。
【００１８】
明細書中においていずれのアルキル、アルコキシ、またはアルキレン基も特に示さないかぎり直鎖又は枝分かれである。窒素原子に結合しているいずれのヒドロキシ置換アルキルまたはアルキレン基においても、ヒドロキシ基はこの窒素原子に直接結合していない炭素原子に優先的にする。窒素原子に結合しているQ により妨げられているいずれのアルキレン鎖においても、Q は窒素原子に直接結合していない炭素原子に優先的に結合する。
【００１９】
R1が置換アルキルである場合、それは好ましくはヒドロキシ、シアノまたはクロロである。
各々のR1は、好ましくはR1a であり、ここで、各々のR1a は独立に水素、メチル、エチルまたは2-ヒドロキシエチルであり、より好ましくは各々のR1はR1b であり、ここで、各々のR1b は独立に水素またはメチルであり、最も好ましくは各々のR1は水素である。
【００２０】
フェニル置換基としてのいずれのハロゲンも、好ましくはフッ素、塩素または臭素であり、最も好ましくは塩素である。
Hal は最も好ましくは塩素である。
R17 は好ましくはR17aであり、ここで、R17aは水素、メチル、メトキシ、カルボキシまたはスルホであり、より好ましくはR17bであり、ここで、R17bは水素またはスルホである。
B1は、好ましくはB1a であり、ここで、B1a はC2-3アルキレン、
-CH2CH2-O-CH2CH2、-CH2CH2-NR1b-CH2CH2 、ヒドロキシにより一置換されたC3-4アルキレン、
【００２１】
【化６０】
0003657627.tif 000016
（上式中、n'は0 または1 である) であり、より好ましくはB1b であり、ここで、B1b はC2-3アルキレン、
【００２２】
【化６１】
0003657627.tif 000017
であり、最も好ましくはB1c であり、ここで、B1c は-CH2CH2-、-CH2CH2CH2- 、 - *CH2CH(CH3)- または-CH2CH(OH)CH2-であり、ここで、* 付き炭素原子はトリアジン環の炭素原子に結合しているNR1-基に結合する。
【００２３】
W1は好ましくはW1a であり、ここで、W1a は
【化６２】
0003657627.tif 000018
であり、より好ましくは、それはW1b であり、ここで W1bは
【化６３】
0003657627.tif 000019
であり、最も好ましくはW1はW1c であり、ここで、W1c は-NH -B1c-NH-である。
【００２４】
Za は好ましくは Za ' であり、ここで、 Za ' は
【化６４】
0003657627.tif 000020
であり、上式中、T1' は水素またはクロロであり、
Za は最も好ましくは
【化６５】
0003657627.tif 000021
である。
【００２５】
Y は好ましくは Ya であり、  ここで、 Ya は
【化６６】
0003657627.tif 000022
であり、より好ましくはY は、 Yb であり、ここで、 Yb は
【化６７】
0003657627.tif 000023
である。
【００２６】
R2は、好ましくはR2a であり、ここで、R2a は水素、メチル、メトキシまたはスルホである。
R3は、好ましくはR3a であり、ここで、R3a は水素、メチル、メトキシ、クロロまたはカルボキシであり、より好ましくは、R3b であり、ここで、R3b は水素、メチルまたはメトキシである。
R5は、好ましくはR5a であり、ここで、R5a は水素、メチルまたはメトキシであり、最も好ましくはR5は水素である。
R6は好ましくはR6a であり、ここで、R6a は水素、メチル、メトキシ、アセトアミドまたは-NHCONH 2 であり、より好ましくはR6b であり、ここで、R6b は水素、メチル、アセトアミドまたは-NHCONH2である。
R8は, 好ましくはR8a であり、ここで、R8a は水素、メチル、メトキシ、クロロ、スルホであり、最も好ましくはR8はR8b であり、ここで、R8b は水素、クロロまたはスルホである。
R9は, 好ましくはR9a であり、ここで、R9a は水素、メチル、メトキシまたはクロロである。
R7は化学式
【００２７】
【化６８】
0003657627.tif 000024
のR7a であり、より好ましくはR7は化学式
【化６９】
0003657627.tif 000025
のR7b である。
R10 は、好ましくはR10aであり、ここで、R10aはメチルまたは-CH2SO3Hである。
R11 は、好ましくはR11aであり、ここで、R11aは水素、-CONH2、スルホ、-CH2SO3Hまたは-CH2-Ya であり、より好ましくはR11bであり、ここで、R11bは水素、-CH2SO3Hまたは-CH2-Yb である。
【００２８】
R12 としてのC1-6いずれの置換アルキルも、好ましくは-C1-6 アルキレン-Eであり、ここで、E はカルボキシ、スルホ、-OSO3H、ヒドロキシ、シアノ、メトキシ、-NR19R20または
【化７０】
0003657627.tif 000026
であり、ここで、各々のR19 およびR20 は独立に水素；無置換C1-4アルキル；ヒドロキシ、C1-4アルコキシ、カルボキシ、スルホ、-NHC1-4 アルキルまたは-N(HC1-4アルキル)2により一置換されたC1-4アルキル；無置換もしくは1 〜3 個のメチル基により置換されたシクロヘキシル；フェニルまたはハロゲン、特にクロロ、C1-4アルキル、C1-4アルコキシ、スルホもしくはカルボキシより選ばれる1 または2 個の置換基により置換されたフェニル；フェニル(C1-4 アルキル) またはフェニル環がハロゲン、特にクロロ、C1-4アルキル、C1-4アルコキシ、スルホもしくはカルボキシより選ばれる1 または2 個の置換基により置換されたフェニル(C1-4 アルキル) であるか、
-NR19R20はピペリジノ、モルホリノ、または無置換のもしくは 3個までのメチル基により置換されたピペラジノであり、
各々のR21 およびR22 は水素を除くR19 およびR20 のひとつであるが、それらは独立であり、R23 はC1-4アルキルまたはベンジルであるか、または、
【化７１】
0003657627.tif 000027
は、さらに無置換のもしくは1 または2 個のメチル基により置換されているピリジニウム環であり、
【化７２】
0003657627.tif 000028
は、非発色性アニオンである。
【００２９】
好ましくはE は Ea であり、ここで、 Ea はカルボキシ、スルホ、-OSO3H、ヒドロキシ、または-NR19aR20aであり、ここで、各々のR19aおよびR20aは独立に水素、メチル、エチル、2-ヒドロキシエチルまたはフェニル(C1-2 アルキル) であるか、
-NR19aR20aはピペリジノ、モルホリノまたはピペラジノである。
より好ましくはE は Eb であり、ここで、 Eb は水素、スルホまたは
-NR19bR20bであり、各々のR19bおよびR20bは独立に水素、メチルまたはエチルである。
【００３０】
いずれの
【化７３】
0003657627.tif 000029
も、好ましくはクロリドまたはアセテートイオンである。
R12 は、好ましくはR12aであり、ここで、R12aは水素、メチル、エチル、シクロヘキシル、フェニル、フェニル(C1-2 アルキル）または-C1-6 アルキレン-Eであり、より好ましくはR12bであり、ここで、R12bは水素、メチル、エチル、シクロヘキシルまたは-C1-4 アルキレン-Ea であり、さらに好ましくはR12cであり、ここで、R12cは水素、メチル、エチルまたは-C1-3 アルキレン-Eb であり、最も好ましくは、R12 はR12dであり、ここで、R12dは水素、メチル、エチルである。  R13 は、好ましくはヒドロキシである。
R14 は、好ましくはR14aであり、ここで、R14aはメチルまたはカルボキシであり、最も好ましくは、R14 カルボキシである。
R15 は、好ましくはR15aであり、ここで、R15aは水素、メチルまたはメトキシであり、最も好ましくは、R15 は水素である。
R16 は、好ましくはR16aであり、ここで、R16aは水素、メチル、メトキシ、アセトアミドまたは-NHCONH2であり、より好ましくはR16 はR16bであり、R16bは水素、メチル、アセトアミドまたは-NHCONH2である。
【００３１】
各々のR18 は、好ましくはR18aであり、ここで、R18aは独立に水素、クロロ、メチルまたはメトキシである。より好ましくは、R18bであり、ここで、各々のR18bは独立に水素またはメチルである。最も好ましくは、各々のR18 は水素である。
【００３２】
X1は、好ましくはX1' であり、ここでX1' は
【化７４】
0003657627.tif 000030
であり、上式中、* 付き炭素原子はアゾ基に結合している。より好ましくはX1は、X1" であり、ここで、X1" は
【化７５】
0003657627.tif 000031
であり、* 付き炭素原子はアゾ基に結合している。
X2中、q は、好ましくは1 である。
X2は、好ましくはX2' であり、ここで、X2' は
【化７６】
0003657627.tif 000032
であり、上式中、* 付き炭素原子は Za -NR1基に結合している。より好ましくはそれはX2" であり、ここで、X2" は
【化７７】
0003657627.tif 000033
であり、上式中、* 付き炭素原子は Za -NR1基に結合している。
【００３３】
(d1)は、好ましくは(d1') であり、より好ましくは(d1") であり、下記式
【化７８】
0003657627.tif 000034
で表され、
(d2)は、好ましくは(d2') であり、より好ましくは(d2") であり、下記式
【化７９】
0003657627.tif 000035
で表され、
(d3)は、好ましくは(d3') であり、より好ましくは(d3") であり、置換基は下記の位置に存在する。
【化８０】
0003657627.tif 000036
a)アゾ基が 1- 位に存在し、r が2 である場合、スルホ基は3,6-、3,8-、4,6-または4,8-位に存在し、より好ましくは3,6-位に存在する。
b)アゾ基が 1- 位に存在し、r が3 である場合、スルホ基は3,6,8-位に存在する。
c)アゾ基が 2- 位に存在し、r が2 である場合、スルホ基は1,5-、3,6-、4,8-、5,7-または6,8-位に存在し、より好ましくは1,5-または4,8-位に存在する。
ｄ）アゾ基が 2- 位に存在し、r が3 である場合、スルホ基は3,6,8-、または4,6,8-位に存在する。
【００３４】
(d4)は、好ましくは下式
【化８１】
0003657627.tif 000037
(d4') であり、最も好ましくは(d4") [R5aが水素であり、R6a がR6b である(d4')]であり、ここで、各々の(d4') および(d4") において、アゾ基に関連するナフチル環中のスルホ基の位置は、それぞれ(d3') および(d3") で与えたのと同様である。
(d5)は、好ましくは化学式
【化８２】
0003657627.tif 000038
の(d5') であり、より好ましくは、(d5")[ Ya が Yb である(d5')]である。
(d6)は、好ましくは(d6') であり、より好ましくは、下式
【化８３】
0003657627.tif 000039
の(d6") である。
(d7)は、好ましくは(d7') であり、より好ましくは、下式
【化８４】
0003657627.tif 000040
の(d7") である。
(k1)は、好ましくは(k1') であり、より好ましくは、下式
【化８５】
0003657627.tif 000041
の(k1") である。 (k2) は、好ましくは(k2') であり、より好ましくは、下式
【化８６】
0003657627.tif 000042
の(k2") である。 (k3) は、好ましくは(k3') であり、より好ましくは、下式
【化８７】
0003657627.tif 000043
の(k3") である。 (k4) は、好ましくは(k4') であり、より好ましくは、下式
【化８８】
0003657627.tif 000044
の(k4") である。
【００３５】
好ましい化学式Ｉの化合物は、化学式Ｉａ
【化８９】
0003657627.tif 000045
およびその塩に対応し、ここで、 Da は上記で定義した(d1') 〜(d5') のうちの一つの基であり、 Ka は上記で定義した(k1') 〜(k4') のうちの一つの基であり、ここで、化学式Ｉの化合物に与えた(i) 〜(iv)の条件を適用する。
または、化学式Ｉb
【化９０】
0003657627.tif 000046
およびその塩に対応し、ここで、 Db は(d1') 〜(d4') 、または(d6') もしくは(d7') のうちの一つの基であり、p'は1 または2 であり、ここで、二つの Za ' 基が存在する場合、これらは同一であり、
ただし、 Db は(d1') 〜(d4') のうちの一つの基である場合、少なくとも一つの Za ' は
【化９１】
0003657627.tif 000047
である。
【００３６】
より好ましい化学式Ｉa の化合物は、 Da が Da ' であり、 Ka が Ka ' である化合物であり、ここで、 Da ' は(d1") 〜(d5") のうちの一つの基であり、 Ka ' は(k1") 〜(k4") のうちの一つの基である。
より好ましい化学式Ｉb の化合物は、
(1) R18aがR18bであり、特に水素であり、
(2) R14aがカルボキシであり、
(3) p'が1 であり、
(4) 各々のR1b が水素であり、
(5) 二つの Za ' 基が存在する場合、二つの Za ' が
【化９２】
0003657627.tif 000048
である。
【００３７】
最も好ましい化合物は化学式Ｉc
【化９３】
0003657627.tif 000049
の化合物およびその塩であり、ここで、 Dc は(d6") または(d7") であり、二つの Za ' は同一である。
【００３８】
化学式Ｉの化合物が塩の形で存在する場合、スルホ基およびあらゆるカルボキシ基に会合したカチオンも重要ではなく、対応する塩が水溶性であれば繊維反応性染料の分野における従来のどのような非発色性のカチオンであってもよい。このようなカチオンの例は、アルカリ金属カチオン、並びに無置換および置換アンモニウムカチオン、例えば、リチウム、ナトリウム、カリウム、アンモニウム、モノ- 、ジ- 、トリ- およびテトラメチルアンモニウム、トリエチルアンモニウム、並びにモノ- 、ジ- およびトリエタノールアンモニウムである。
好ましいカチオンはアルカリ金属カチオンおよびアンモニウムであり、ナトリウムが最も好ましい。
化学式Ｉの化合物中、スルホおよびあらゆるカルボキシ基のカチオンも同一でも、または異なっていてもよく、例えば、化学式Ｉの化合物は混合された塩の形で存在する上記カチオンの混合物であってもよい。
【００３９】
本発明はさらに化学式Ｉに係わる化合物またはその混合物の製造方法を与え、その方法は、化学式II
【００４０】
【化９４】
0003657627.tif 000050
のアミンのジアゾニウム塩( 上式中、D は上記に定義したとおりである) と
化学式III
【００４１】
【化９５】
0003657627.tif 000051
の化合物( 上式中、K は上記に定義したとおりである) とを反応させることを含む。
【００４２】
Za の代わりに、カップリング反応が完了した後に、Z a -Hal化合物(Halは、フルオロまたはクロロである）と反応できる遊離アミノ基-NR1-Hが依然として存在するような化学式III の化合物を用いることもできる。
【００４３】
D が(d6)または(d7)であり、両方の Za が同一である化学式Ｉa の化合物は、好ましくは
1 モルの化学式IV
【化９６】
0003657627.tif 000052
の化合物(D' は
【化９７】
0003657627.tif 000053
であり、R1、R13 、R18 、p 、X1およびX2は上記に定義のとおりである。) と
少なくとも2 モルの Za -Hal化合物(Za は上記に定義したとおりであり、Hal はフルオロまたはクロロである）とを反応させることによって製造される。
【００４４】
ジアゾ化およびカップリングは従来法によって行ってよく、カップリング反応のpHは各々の異なるカップリング成分に従って採用されるべきである。
【００４５】
これらのアミノ基のZ a -Hal化合物との縮合反応は、適切にはpH 4〜7 において、20〜60℃の範囲の若干高めの温度で行われる。
【００４６】
化学式Ｉの化合物は公知の方法、例えば、従来のアルカリ金属塩により塩析し、濾過し、所望により真空中で僅かに高めの温度で乾燥するといった方法により分離することができる。
【００４７】
反応および分離の条件によって、化学式Ｉの化合物は遊離酸もしくは、好ましくは塩の形、または、例えば、1 以上の前記カチオンを含む混合塩の形で得られる。それは、従来の方法によって、遊離酸から塩の形もしくは塩の形の混合物、またはその逆に変成され、或いは、ある塩から別の塩に変成されることができる。
【００４８】
化学式
【化９８】
0003657627.tif 000054
に対応するいずれの Za (T1 が水素、シアノまたはクロロであり、T2がフルオロまたはクロロである）もフルオロまたはクロロ置換基が2-位または6-位のどちらかに存在することにより二つの異性体を生じうることに注目すべきである。
一般に、この得られた染料混合物は、使用のために単一異性体の分離を用いることなくそのまま使用することが好ましいが、もしこれを望むならば従来の方法により容易に行うことができる。
【００４９】
化学式II、III およびIV、並びに Za -Halの出発化合物は公知の化合物でもよく、または公知の方法によって、公知の出発材料から容易に製造することができる。
【００５０】
化学式Ｉの化合物およびその混合物はヒドロキシ基または窒素を含有する有機基材を染色または捺染するための繊維反応性染料として有用である。好ましい基材は皮革および天然または合成ポリアミド、並びに、特に綿、ビスコースおよびスフ糸のような天然および再生セルロースを含む繊維材料である。最も好ましい基材は綿を含む繊維材料である。
【００５１】
染色または捺染は、繊維反応性染料の分野における従来の公知の方法に従って行われる。好ましくは化学式Ｉの化合物には30〜80℃の範囲の温度、特に50〜60℃の温度にて、吸尽染色法が用いられ、それぞれ、溶液/ 製品比は6:1 〜30:1が用いられ、より好ましくは10:1〜20:1が用いられる。
【００５２】
本発明の化合物は公知の繊維反応性染料との相溶性が良く、それらは、単独でで用いられてもよく、または共通の堅牢度特性および染浴から繊維に吸収する能力の程度等の染色特性のような同様の染色特性を有する同じ種類の繊維反応性染料との組み合わせで用いてもよい。このような組み合わせ混合物から得られる染色物は良好な堅牢度特性を有し、単独の染料から得られる染色物に匹敵する。
【００５３】
化学式Ｉの化合物は染料として用いる場合、良好な吸収及び定着収率を与える。さらに、あらゆる未定着化合物も容易に基材から洗い落とすことができる。化学式Ｉの化合物より得られる染色および捺染物は、良好な耐光堅牢度特性並びに洗濯、水、海水及び汗に対する堅牢度のような湿潤堅牢度特性を示す。それらはまた、塩素処理された水、次亜塩素酸漂白剤、過酸化物漂白剤、過ホウ酸塩含有洗濯用洗剤のような酸化剤に対して良好な耐性を示す。
【００５４】
次の例は、本発明を説明するものである。例のなかで、特に示さないかぎり、全ての部及びパーセントは重量基準であり、また、全ての温度は摂氏温度である。
【００５５】
例１
63.4部の化学式
【００５６】
【化９９】
0003657627.tif 000055
の化合物を600 部の水中で攪拌し、38容積部の 4N の亜硝酸ナトリウム水溶液をそれに加える。このようにして得られた懸濁液を45部の塩酸および300 部の氷の混合物に、0 〜5 °の温度にて50分以内で滴下して加える。さらに1 時間攪拌を行い、この後、過剰の亜硝酸を少量のスルファミド酸を加えることにより分解する。次いで、44.5部の1-エチル-6- ヒドロキシ-4- メチル-3- スルホメチルピリドン(-2)を500 部水中に溶かし、それに加える。その後、320 容積部の20% 炭酸ナトリウムを加えることによりpHを7 に調整する。カップリングが完了すると、染料は450 部の塩化ナトリウムを加えることにより得られる黄色の懸濁液から沈殿し、それを濾過し、乾燥する。その染料は、化学式( 遊離酸の形で示す)
【化１００】
0003657627.tif 000056
に対応し、それは、綿をぼかした色合いの黄緑色(greenish yellow shade) に染色する。これらの染色物は良好な堅牢度特性を示し、酸化性の影響に対する耐性を示す。
【００５７】
例2-124
例1 で記述したのと同様の方法で、適切な出発化合物を用いて、次の表Ｉ〜III に示したさらなる化学式Ｉの化合物を製造することができる。これらの化合物は化学式(T)
【化１０１】
0003657627.tif 000057
に対応し、ここで、各々のA およびB の意味を表Ｉ 〜III に示す。さらに、次の記号を用いる。
【化１０２】
0003657627.tif 000058
表ＩのA の欄において、
【化１０３】
0003657627.tif 000059
であり、表IIのＡの欄において、
【化１０４】
0003657627.tif 000060
であり、記号は表ＩおよびIIのそれぞれに定義する通りである。
【００５８】
例 2〜124 の化合物はセルロース繊維を含む基材、および特に綿含む繊維材料に、従来の吸尽染色法または従来の捺染方法を用いることにより適用することができ、ここで、ぼかした色合いゴールデンイエロー〜黄緑色の染色物および捺染物が得られる。これらの綿に対する染色物および捺染物は良好な耐光および湿潤堅牢度特性を示し、酸化性の影響に対して耐性をもつ。
【００５９】
【表１】
0003657627.tif 000061
【００６０】
【表２】
0003657627.tif 000062
【００６１】
【表３】
0003657627.tif 000063
【００６２】
【表４】
0003657627.tif 000064
【００６３】
【表５】
0003657627.tif 000065
【００６４】
【表６】
0003657627.tif 000066
【００６５】
【表７】
0003657627.tif 000067
【００６６】
【表８】
0003657627.tif 000068
【００６７】
【表９】
0003657627.tif 000069
【００６８】
【表１０】
0003657627.tif 000070
【００６９】
【表１１】
0003657627.tif 000071
【００７０】
【表１２】
0003657627.tif 000072
【００７１】
【表１３】
0003657627.tif 000073
【００７２】
【表１４】
0003657627.tif 000074
【００７３】
例 125
従来の方法により製造された160 部の下記式のジアミノアゾ化合物、
【化１０５】
0003657627.tif 000075
【００７４】
を2000部の水に溶かす。25〜30°にて、37.1部の2,4,6-トリフルオロ-5- クロロピリミジンをこの溶液に滴下して加える。滴下の際、反応混合物のpHは、15% の炭酸ナトリウム溶液を連続的に添加することにより5.0 〜6.0 に保つ。縮合が完了した後、得られた染料は塩化ナトリウムとともに沈殿され、それを濾過し、50°において、真空中で乾燥する。この染料は化学式( 遊離酸の形で示す）
【化１０６】
0003657627.tif 000076
に対応し、それはセルロース材料を、および特に綿をくすんだ色合いの黄色(yellow shade)に染色する。得られた染色物は良好な堅牢度特性を示す。
【００７５】
例 126
１６０  部の、例125 に記述した化学式(1a)のジアミノアゾ化合物を2000部の水中に溶かす。この溶液に29.5部の2,4,6-トリフルオロピリミジンを加え、あらゆる遊離アミノ基が検出されなくなるまで40〜45°において攪拌を行う。同時に、反応の際に解放される酸を、連続的に15% の炭酸ナトリウム溶液を加えることによりpH6 〜7 に緩衝する。化学式( 遊離酸の形で示す)
【化１０７】
0003657627.tif 000077
に対応する得られた染料は、塩化ナトリウムとともに沈殿され、それを濾過し、50°において、真空中で乾燥する。この染料により、綿に対して黄色い染色物および捺染物が得られ、これらは良好な一般的な堅牢度特性を示し、酸化性の影響に対する耐性を示す。
【００７６】
例127 〜219
例125 および126 に記述したのと同様の方法により、適切な出発化合物を用いることにより、さらに次の表IVおよびＶに示した化学式Ｉの化合物を製造することができる。それらの化合物は化学式(T4)および(T5)に対応し、ここで、各々の化学式を対応する表の上部に説明し、その中で記号を定義している。
表IV中のX の欄で、* 付き炭素原子は化学式(T4)のZ-NH- 基に結合しており、表Ｖ中のX の欄で、* 付き炭素原子は化学式(T5)のアゾ基に結合している。
さらに、表IVおよびＶにおいて、次の記号を用いる。
【００７７】
【化１０８】
0003657627.tif 000078
とする。
【００７８】
例 127〜219 の染料によって、綿に対する黄色い染色物が得られ、それらは良好な耐光および湿潤堅牢度特性を示す。
【００７９】
【表１５】
0003657627.tif 000079
【００８０】
【表１６】
0003657627.tif 000080
【００８１】
【表１７】
0003657627.tif 000081
【００８２】
【表１８】
0003657627.tif 000082
【００８３】
【表１９】
0003657627.tif 000083
【００８４】
【表２０】
0003657627.tif 000084
【００８５】
例 1、125 または126 に記述した製造法により、例 1〜219 の化合物がそれらのナトリウム塩の形で得られる。反応もしくは分離条件を変えることにより、または他の公知の方法を用いることにより、遊離酸もしくは他の塩の形、または1 以上の前記カチオンを含む混合塩の形で化合物を製造することが可能である。
【００８６】
明細書中、既に前記で述べたように、例示した染料( 並びに対応する遊離酸および他の塩の形) は、下記の基
【化１０９】
0003657627.tif 000085
【００８７】
に関する二つの異性体を有する。一つの化合物は、ピリミジン環上のフルオロまたはクロロ置換基が2-位に存在し、対応する化合物は6-位に存在する。
得られた異性体染料の混合物は従来の染色または捺染方法を用いてもよく、使用するために単一異性体に分離する必要は通常はない。
【００８８】
次の例中で、本発明の化合物の用途を例示する。
適用例 A
０．３  部の例 1または125 の染料を100 部の脱イオン水に溶解し、8 部の芒硝( 焼成された) を加える。染浴を50°に加熱し、次に10部の綿布( 漂白された）を加える。50°で30分経過後、0.4 部の炭酸ナトリウム( 焼成された) を染浴に加える。炭酸ナトリウムを加える間、温度を50°に保つ。続いて染浴を60°に加熱し、60°で1 時間染色を行う。
染色された布を冷水を流しながら、3 分間すすぎ、その後温水を流しながら、さらに3 分間すすぐ。染色物を0.25部のマルセイユソープ(Marseille soaps) の存在下、500 部の脱イオン水中で、15分間煮沸洗浄する。温水を流しながらすすいだ(3分間) 後、遠心作用を加え、キャビネットドライヤー中で、約70°で乾燥する。黄緑色( 黄色) の綿の染色物が得られ、それは良好な堅牢度、特に高い対光および湿潤堅牢度特性を示し、酸化性の影響に対して安定である。
【００８９】
適用例 B
100 部の脱イオン水に 5部の芒硝( 焼成された) を含む染浴に10部の綿布( 漂白された) を加える。染浴を50°に10分以内で加熱し、0.5 部の例 1または125 の染料を加える。50°でさらに30分経過後、1 部の炭酸ナトリウム( 焼成された) を加える。続いて染浴を60°に加熱し、染色を60°でさらに45分間続ける。
染色された布を冷水を流しながら、その後温水を流しながらすすぎ、適用例 Aで与えた方法にしたがって煮沸洗浄する。すすぎおよび乾燥の後、黄緑色( 黄色) の綿の染色物が得られ、それは適用例 Aで示したのと同様に良好な堅牢度特性を有する。
【００９０】
同様に、例2 〜124 、および126 〜219 の染料または例示された染料の混合物は、適用例 AまたはB で述べた方法に従って綿の染色を行うことができる。このようにして得られた綿の染色物は黄緑〜ゴールデンイエローであり、良好な堅牢度特性を示す。
【００９１】
0003657627.tif 000086
からなる捺染糊を綿布に従来法に従って用いる。
捺染された布を乾燥し、102 〜104 °で4 〜8 分間スチーム中に置く。それを冷水、その後温水ですすぎ、煮沸洗浄し( 適用例 Aで述べた方法に従う) 、乾燥させる。黄緑色( 黄色) の捺染物が得られ、それは良好な一般的な堅牢度特性を有する。
【００９２】
同様に、例 2〜124 および126 〜219 の染料または例示された染料の混合物を、適用例 Cで与えた方法に従って綿を捺染するに用いることができる。得られた全ての捺染物は、黄緑色〜ゴールデンイエローであり、良好な堅牢度特性を示す。
【００９３】
次に、最大吸収波長( λmax,ナノメータ表示) を例示された化合物について示す。測定は溶媒として水を用いて行った。
【００９４】
【表２１】
0003657627.tif 000087